(57)【要約】【課題】患者の容体の変化を遅滞なく報知できるようにして、医療スタッフの負担の軽減と医療看護の品質向上を図る。【解決手段】バイタル計測装置１２１〜１２ｎにより計測されたバイタル値をＬＡＮ２２及びゲートウエイ２０を介してナースコール親機２に伝送する。そしてナースコール親機２において、上記伝送されたバイタル値を患者ごと及びバイタルの種類ごとに予め設定されたしきい値ＴＨ１〜ＴＨ３と比較することにより異常の程度を判定し、その判定結果をバイタルの種類を表すアイコンの表示サイズを可変すると共にアラーム音又は音声メッセージを出力することにより医師又は看護師に報知するようにしたものである。【選択図】      図１
2005237667.tif 000002
【特許請求の範囲】
【請求項１】
ナースステーションに設置されるナースコール親機と、
病室に設置され、前記ナースコール親機に対し通信回線を介して接続可能なバイタル情報計測装置と
を具備し、
前記バイタル情報計測装置は、
患者のバイタル値を計測する手段と、
前記計測されたバイタル値を、前記通信回線を介して前記ナースコール親機へ送信する手段と
を備え、
前記ナースコール親機は、
前記通信回線を介して前記バイタル情報計測装置から送られたバイタル値を受信する手段と、
前記受信されたバイタル値を予め設定されたしきい値と比較することにより、前記バイタル値の異常を検出する手段と、
前記バイタル値の異常が検出された場合に、その旨の報知メッセージを出力する手段と
を備えることを特徴とするナースコールシステム。
【請求項２】
病室に設置されたバイタル情報計測装置により計測された患者のバイタル値を、通信回線を介して受信する手段と、
前記受信されたバイタル値を予め設定されたしきい値と比較することにより、前記バイタル値の異常を検出する手段と、
前記バイタル値の異常が検出された場合に、その旨の報知メッセージを出力する手段と
を具備することを特徴とするナースコール親機。
【請求項３】
前記報知メッセージを出力する手段は、前記バイタル値の異常が検出された場合に、バイタルの種類を表すアイコンをアニメーション表示することを特徴とする請求項２記載のナースコール親機。
【請求項４】
前記バイタル値の異常を検出する手段は、前記受信されたバイタル値を予め設定された複数のしきい値とそれぞれ比較することにより、前記バイタル値の異常レベルを検出し、
前記報知メッセージを出力する手段は、前記検出されたバイタル値の異常レベルに応じて、バイタルの種類を表すアイコンの表示サイズを変化させることを特徴とする請求項２又は３記載のナースコール親機。
【請求項５】
前記バイタル情報計測装置が複数種類のバイタルについてそれぞれそのバイタル値を計測する機能を備える場合に、
前記バイタル値の異常を検出する手段は、バイタルの種類別に、前記受信されたバイタル値を予め設定されたしきい値と比較することにより前記バイタル値の異常を検出し、
前記報知メッセージを出力する手段は、前記複数種類のバイタルについてそれぞれバイタル値の異常が検出された場合に、これらのバイタルの種別を表すアイコンを相互に重なり合わないように表示位置或いは表示期間を異ならせて表示することを特徴とする請求項２乃至４のいずれかに記載のナースコール親機。
【請求項６】
前記バイタル値の異常を検出する手段は、患者ごとに、前記受信されたバイタル値を予め設定されたしきい値と比較することにより前記バイタル値の異常を検出し、
前記報知メッセージを出力する手段は、前記バイタル値の異常が検出された場合に、バイタルの種類を表すアイコンを患者を表す情報に対応付けて表示することを特徴とする請求項２乃至５のいずれかに記載のナースコール親機。
【発明の詳細な説明】
【技術分野】
【０００１】
この発明は、例えば病院や介護施設で使用されるナースコールシステム及びナースコール親機に関する。
【背景技術】
【０００２】
一般に、ナースコールシステムは、各病室に呼出ボタンを有する呼出子機をそれぞれ設置すると共に、ナースセンタにナースコール親機を設置している。そして、患者が呼出ボタンを操作した場合に、呼出子機からナースコール親機へ呼出信号を送信し、ナースコール親機で鳴音を発生したり呼出子機を表すアイコンを変色表示させることにより呼出の発生を報知し、さらに呼出元の患者の氏名や属性等を表示器に表示するように構成されている。
【０００３】
このため看護師は、ナースステーションにおいて上記呼出報知と患者の氏名等により呼出の発生と呼出元の患者を認識することができる。そして、ナースコール親機と呼出元の呼出子機との通話機能を使用して患者の要求を聞き出すことができ、その上で必要な看護処置を実施することができる（例えば、特許文献１を参照。）。
【０００４】
【特許文献１】特許第２８８７５５２号公報
【発明の開示】
【発明が解決しようとする課題】
【０００５】
ところが、従来のこの種のシステムは、患者が呼出ボタンを操作しない限りナースコール親機で呼出が報知されない。このため、例えば注意を要する容体の患者については、医師又は看護師が定期的に病室に出向いて容体を監視するか、または患者自身が呼出ボタンを押して容体の変化を医師又は看護師に知らせなければならない。また、監視対象となっていない患者の容体が急変した場合にその旨を把握するには、患者自身の呼出しに頼る以外にない。すなわち、医師又は看護師は患者の容体の急変を常に遅滞なく把握できるとは限らず、このため対応が遅れることがあり非常に好ましくない。
【０００６】
この発明は上記事情に着目してなされたもので、その目的とするところは、患者の容体の変化を遅滞なく報知できるようにして、医療スタッフの負担の軽減と医療看護の品質向上を図ったナースコールシステム及びナースコール親機を提供することにある。
【課題を解決するための手段】
【０００７】
上記目的を達成するためにこの発明に係わるナースコールシステムは、ナースステーションに設置されるナースコール親機と、病室に設置され上記ナースコール親機に対し通信回線を介して接続可能なバイタル情報計測装置とを具備し、上記バイタル情報計測装置に、患者のバイタル値を計測する手段と、上記計測されたバイタル値を上記通信回線を介してナースコール親機へ送信する手段とを設ける。これに対しナースコール親機には、上記通信回線を介して上記バイタル情報計測装置から送られたバイタル値を受信する手段と、上記受信されたバイタル値を予め設定されたしきい値と比較することによりバイタル値の異常を検出する手段と、このバイタル値の異常が検出された場合にその旨の報知メッセージを出力する手段とを設けたものである。
【０００８】
一方、この発明に係わるナースコール親機は、病室に設置されたバイタル情報計測装置により計測された患者のバイタル値を通信回線を介して受信し、この受信されたバイタル値を予め設定されたしきい値と比較することにより上記バイタル値の異常を検出する。そして、上記バイタル値の異常が検出された場合に、その旨の報知メッセージを出力するように構成したものである。
【０００９】
したがって、この発明に係わるナースコールシステム及びナースコール親機によれば、注意を要する容体の患者のバイタル値がナースコール親機において監視され、測定されたバイタル値が異常値を示すとその旨のメッセージが報知される。すなわち、患者の容体を示すバイタル値がナースコール親機において遠隔監視されることになる。このため、注意を要する容体の患者について、医師又は看護師は定期的に病室に出向いて容体を監視する必要がなくなり、また患者自身による呼出しに頼ることなく患者の容体の変化を把握することが可能となる。したがって、適切な処置を遅滞なく迅速に行うことが可能となり、これにより医療スタッフの負担の軽減と医療看護品質の向上を図ることができる。
【００１０】
またこの発明は、次のような具体的な構成を備えることも特徴としている。  
第１の構成は、報知メッセージを出力する手段において、バイタル値の異常が検出された場合にバイタルの種類を表すアイコンをアニメーション表示するものである。このように構成すると、バイタル値の異常がバイタルの種類別にアイコンのアニメーション表示により報知される。このため、例えば監視対象のバイタルが複数種類存在する場合でも、バイタルごとに区別して明確に報知することが可能となる。
【００１１】
第２の構成は、バイタル値の異常を検出する手段において、受信されたバイタル値を予め設定された複数のしきい値とそれぞれ比較することによりバイタル値の異常レベルを検出し、報知メッセージを出力する手段においては、上記検出されたバイタル値の異常レベルに応じてバイタルの種類を表すアイコンの表示サイズを変化させるようにしたものである。このように構成すると、バイタル値の変化が表示サイズの異なるアイコンを用いて段階的に表示される。このため、医師又は看護師は表示されたアイコンの表示サイズから患者の容体の程度を把握することが可能となり、より一層適切な処置を講じることが可能となる。
【００１２】
第３の構成は、複数種類のバイタルについてそれぞれバイタル値の異常が検出された場合に、これらのバイタルの種別を表すアイコンを相互に重なり合わないように表示位置或いは表示期間を異ならせて表示するようにしたものである。このように構成すると、複数種類のバイタルで同時に異常が検出された場合でも、これらのバイタルの異常をそれぞれ明確に表示することができる。
【００１３】
第４の構成は、バイタル値の異常を検出する手段において、患者ごとにバイタル値の異常を検出し、バイタル値の異常が検出された場合に、バイタルの種類を表すアイコンを患者を表す情報に対応付けて表示するようにしたものである。このように構成すると、バイタル値の異常が患者別に表示される。このため、例えば複数の患者について並行してバイタル値の監視が行われている場合でも、バイタル値の異常が検出された患者がどの患者であるかを医療スタッフが明確に把握することが可能となる。
【発明の効果】
【００１４】
要するにこの発明では、ナースコール親機において、病室に設置されたバイタル情報計測装置から送信されるバイタル値をしきい値と比較することによりバイタル値の異常を検出し、上記バイタル値の異常が検出された場合にその旨の報知メッセージを出力するようにしている。  
したがってこの発明によれば、患者の容体の変化を遅滞なく報知できるようになり、これにより医療スタッフの負担の軽減と医療看護の品質向上を図り得るナースコールシステム及びナースコール親機を提供することができる。
【発明を実施するための最良の形態】
【００１５】
図１は、この発明に係わるナースコールシステムの一実施形態を示す概略構成図である。なお、この実施形態では病棟に設置される看護支援用のナースコールシステムを例にとって説明する。
ナースコールシステムは、各病室にそれぞれ設置される病室ユニット１１〜１ｎと、ナースステーションに設置されるセンタ装置としてのナースコール親機２とを備え、これらの病室ユニット１１〜１ｎとナースコール親機２との間はそれぞれ通信線路２１を介して接続される。またナースコールシステムは、例えば病院内の通信センタに設置されるハンディナースコール主装置３及び構内交換機（ＰＢＸ：Private Branch Exchange）４を備える。ハンディナースコール主装置３には無線ユニット６が接続され、またＰＢＸ４は公衆網５に接続される。
【００１６】
ハンディナースコール主装置３は、例えば構内ＰＨＳ（Personal Handyphone System）対応の交換装置からなるもので、交換制御部やタイムスイッチの他に、複数の内線インタフェースと、局線インタフェースと、保守インタフェースとを備える。各内線インタフェースにはそれぞれ無線ユニット６の無線基地局６１，６２が接続される。無線基地局６１，６２はそれぞれ無線エリアを形成し、この無線エリア内に存在する携帯端末７１〜７ｍとの間で無線回線を介して接続される。局線インタフェースにはＰＢＸ４が接続される。
【００１７】
また上記ナースコール親機２は、例えばＬＡＮ（Local Area Network）７を介して看護支援サーバ９に接続される。看護支援サーバ９は、看護支援のための種々情報を記憶し管理する。なお、１０は上記看護支援サーバ９に記憶されたデータをプリントアウトするために使用されるプリンタ、８は上記看護支援サーバ９及びプリンタ１０をＬＡＮ７に接続するためのハブである。
【００１８】
病室ユニット１１〜１ｎは、呼出装置１１１〜１１ｎと、バイタル計測装置１２１〜１２ｎとを備える。このうち呼出装置１１１〜１１ｎは、患者が看護師を呼び出す際に使用する子機と、患者が看護師と通話するために使用するマイクロホン及びスピーカとを備える。これらの子機、マイクロホン及びスピーカは、Ｉ／Ｏユニットを介して個別情報廊下灯に接続され、さらにこの個別情報廊下灯から通信線路２１を介してナースコール親機２に接続される。
【００１９】
バイタル計測装置１２１〜１２ｎは、注意を要する容体の患者のベッドサイドに配置され、患者の複数種類のバイタル情報、例えば体温、血圧、脈拍及び呼吸数を所定の周期で計測する。そして、このバイタル情報の計測値（バイタルデータ）を例えばＬＡＮ（Local Area Network）２２を介してゲートウエイ２０へ送信する。ゲートウエイ２０は、上記バイタル計測装置１２１〜１２ｎからＬＡＮ２２を介してバイタルデータを収集し、収集されたバイタルデータをナースコール親機２へ転送する。なお、上記バイタル計測装置１２１〜１２ｎからナースコール親機２へのバイタルデータの伝送は、看護支援用のＬＡＮ７を介して行ってもよく、また呼出装置１１１〜１１ｎからナースコール親機２へ呼出信号を伝送する通信線路２１を介して行ってもよい。
【００２０】
ところで、ナースコール親機２は次のように構成される。図２はその機能構成を示すブロック図である。  
すなわち、ナースコール親機２は、制御部として例えばマイクロコンピュータを使用する中央処理ユニット（ＣＰＵ）３０を備える。このＣＰＵ３０には、プログラムメモリ３１及び患者情報データベース３２が接続されており、さらに通信インタフェース３３，３４と、ネットワークインタフェース３５，３６と、通話インタフェース３７と、入力表示インタフェース３８がそれぞれ接続されている。
【００２１】
このうち通信インタフェース３３は、ＣＰＵ３０の制御の下、上記各呼出装置１１１〜１１ｎとの間で呼出信号及び通話信号の送受信を行う。同様に通信インタフェース３４は、ＣＰＵ３０の制御の下、上記ハンディナースコール主装置３との間で信号の送受信を行う。ネットワークインタフェース３５は、ＣＰＵ３０の制御の下、上記ＬＡＮ７を介して看護支援サーバ９及びプリンタ１０との間で信号の送受信を行う。ネットワークインタフェース３６は、ＣＰＵ３０の制御の下、ゲートウエイ２０との間でバイタルデータを受信するための信号伝送を行う。
【００２２】
通話インタフェース３７には、看護師が患者との間で通話を行うために使用するマイクロホン３７１及びスピーカ３７２が接続されている。通話インタフェース３７は、呼出装置１１１〜１１ｎとの間に通話リンクが形成された状態で、マイクロホン３７１から出力された話者の送話信号を符号化してＣＰＵ３０へ出力すると共に、ＣＰＵ３０から供給された受話データを復号して受話信号を再生し、この受話信号をスピーカ３７２から拡声出力する。またスピーカ３７２は、患者から呼出が発生した時に鳴音やメロディを出力する際にも使用される。
【００２３】
入力表示インタフェース３８には、タッチパネル／表示器３８１が接続される。タッチパネル／表示器３８１は、例えばＣＲＴ又はＬＣＤからなる表示器の表示画面上に透明の感圧シートを貼付したもので、情報の表示機能と入力機能とを併せ持っている。入力表示インタフェース３８は、ＣＰＵ３０から供給された表示情報を上記タッチパネル／表示器３８１に表示すると共に、タッチパネル／表示器３８１において入力された操作情報をＣＰＵ３０に供給する。
【００２４】
患者情報データベース３２には、患者の識別コードに対応付けて、病名、検査又は処置のスケジュールとその内容、患者の年齢や性別、体重、体質等の個人情報が記憶される。また患者情報データベース３２には、バイタル計測装置１２１〜１２ｎからゲートウエイ２０を介して収集された患者のバイタルデータが、その計測時刻と共に、患者識別コードに対応付けて記憶される。
【００２５】
プログラムメモリ３１には、この発明の一実施形態を実現するためのアプリケーション・プログラムとして、しきい値設定制御プログラム３１ａと、バイタルデータ受信制御プログラム３１ｂと、バイタルデータ判定プログラム３１ｃと、バイタル情報報知制御プログラム３１ｄが格納されている。
【００２６】
しきい値設定制御プログラム３１ａは、しきい値設定モードが設定された状態で、タッチパネル／表示器３８１において医師又は看護師によりしきい値の入力操作が行われた場合に、この入力されたバイタルデータ判定用のしきい値を入力表示インタフェース３８を介して取り込む。そして、この取り込まれたバイタルデータ判定用のしきい値を患者識別コードに対応付けて上記患者情報データベース３２に記憶する。このとき、しきい値としてはバイタルの種類別に複数の値が記憶される。
【００２７】
バイタルデータ受信制御プログラム３１ｂは、ゲートウエイ２０から送信される各患者のバイタルデータをネットワークインタフェース３６を介して取り込み、この取り込まれた各患者のバイタルデータを計測時刻と共に患者識別コードに対応付けて上記患者情報データベース３２に記憶する。
【００２８】
バイタルデータ判定プログラム３１ｃは、上記患者情報データベース３２に新たなバイタルデータが記憶されるごとに、当該バイタルデータの値を上記しきい値設定制御プログラム３１ａにより設定された複数のしきい値とバイタルの種類別に比較する。そして、この比較結果をもとにバイタル値の異常の有無を判定する。
【００２９】
バイタル情報報知制御プログラム３１ｄは、上記バイタルデータ判定プログラム３１ｃによるバイタル値の異常判定結果を、入力表示インタフェース３８を介してタッチパネル／表示器３８１に表示する。バイタル異常の表示は、バイタルの種類別に作成されたアイコンの表示サイズを異常のレベルに応じて変化させることにより行われる。
【００３０】
次に、以上のように構成されたナースコールシステム及びナースコール親機２の動作を説明する。図３はナースコール親機２において実行されるバイタル情報監視制御の手順と内容を示すフローチャートである。  
手術後の患者等のように、注意を要する容体の患者についてそのバイタル情報を監視する場合、医師又は看護師は当該患者に対しバイタル計測装置１２１をセットする。またそれと共に、ナースコール親機２において当該患者のバイタルデータ判定用のしきい値を入力設定する。
【００３１】
このバイタルデータ判定用しきい値の入力設定は、図４に示すようにタッチパネル／表示器３８１に表示される患者の一覧画面において、先ず該当患者を指定する。そして、この指定操作により開かれるしきい値設定用のウィンドウにおいて、測定対象のバイタルの種類としきい値データを選択又は入力することによりなされる。例えば、いま患者のうち「村上浩二」氏について“体温”を監視する場合には、図４に示す患者一覧画面において上記「村上浩二」を指定したのち、この指定操作により開かれるしきい値設定用のウィンドウにおいて、上記監視対象のバイタルについて３つのしきい値ＴＨ１，ＴＨ２，ＴＨ３を入力する。
【００３２】
ナースコール親機２は、図３に示すようにステップ３ａでしきい値データの入力操作を監視している。この状態で、タッチパネル／表示器３８１に表示された患者一覧画面において監視対象の患者が指定されたのち、測定対象のバイタルの種類としきい値データが入力されると、ステップ３ｂにより上記入力されたバイタルの種類としきい値データを取り込み、このバイタルの種類及びしきい値データを患者識別コードと共に患者情報データベース３２に記憶する。
【００３３】
さて、上記バイタルデータ判定用しきい値の設定終了後に、医師又は看護師がバイタル監視指示を入力したとする。そうするとナースコール親機２は、ステップ３ｃからステップ３ｄに移行し、ここで先ず上記患者一覧画面中の「村上浩二」の表示エリアに、例えば図５（ａ）に示すように監視対象である“体温”の種類を表すアイコンＩＡを表示する。したがって、以後担当医師や担当看護師は勿論のこと他の医師及び看護師も、「村上浩二」という患者が“体温”監視中であることを認識することができる。
【００３４】
バイタル監視が開始されると、バイタル計測装置１２１は所定の周期で患者のバイタル値を計測する。例えば、上記「村上浩二」氏の場合には“体温”を計測する。この計測されたバイタル値はパケットに挿入され、バイタル計測装置１２１からゲートウエイ２０へ送信され、このゲートウエイ２０からさらにナースコール親機２に転送される。なお、上記バイタル値の計測周期は患者の容体に応じて設定される。例えば、容体が重篤な場合には計測周期は短く設定され、軽症の場合には計測周期は長く設定される。  
なお、一人の患者について複数種類のバイタル値を計測する場合には、計測された複数のバイタル値が所定のフォーマットで一つのパケットに挿入され、伝送される。
【００３５】
上記バイタル監視中にナースコール親機２は、ステップ３ｅにおいてバイタルデータの到来を監視する。そして、ゲートウエイ２０からバイタルデータのパケットが到来すると、このパケットを受信したのちステップ３ｆに移行し、ここで上記受信されたパケットに含まれるバイタル値を患者情報データベース３２に記憶された該当患者のしきい値ＴＨ１〜ＴＨ３と比較する。この比較の結果、受信されたバイタル値がしきい値ＴＨ１〜ＴＨ３のいずれかを超えると、ステップ３ｇからステップ３ｈに移行して、表示中のアイコンの表示サイズを上記しきい値ＴＨ１〜ＴＨ３に応じたサイズに変更する。
【００３６】
例えば、いま「村上浩二」氏の“体温”計測値がしきい値ＴＨ１を超えたとする。この場合ナースコール親機２は、体温監視中であることを示すアイコンＩＡの表示サイズを、監視開始直後の小サイズ（図５（ａ））から図５（ｂ）に示す中サイズに変更する。また、「村上浩二」氏の体温がさらに上昇して計測値がしきい値ＴＨ２を超えた場合には、アイコンＩＡの表示サイズを図５（ｃ）に示すように大サイズに変更する。同様に、「村上浩二」氏の体温がさらに上昇してその計測値がしきい値ＴＨ３を超えた場合には、アイコンＩＡの表示サイズを図５（ｄ）に示すように特大サイズに変更する。またこの場合、アイコンＩＡを例えば点滅させることによりアニメーション表示する。
【００３７】
またナースコール親機２は、上記アイコンＩＡの表示と共に、ステップ３ｉによりアラーム音を発生させるか又は体温が上昇している旨の音声メッセージを生成してスピーカ３７２から出力させる。このとき、アラーム音の種類又は大きさ、及び音声メッセージの内容は体温の上昇の程度に応じて可変設定される。
【００３８】
以上のバイタル監視制御は、患者の容体が安定してバイタル監視の必要がなくなり、これにより医師又は看護師がナースコール親機２においてバイタル監視終了指示を入力するまで、ステップ３ｅ〜ステップ３ｊにより繰り返し実行される。なお、上記バイタル監視の終了は患者ごとに指示できることは勿論であるが、個々の患者についてバイタルの種類ごとに指示することも可能である。
【００３９】
以上述べたようにこの実施形態では、バイタル計測装置１２１〜１２ｎにより計測されたバイタル値をＬＡＮ２２及びゲートウエイ２０を介してナースコール親機２に伝送する。そしてナースコール親機２において、上記伝送されたバイタル値を患者ごと及びバイタルの種類ごとに予め設定されたしきい値ＴＨ１〜ＴＨ３と比較することにより異常の程度を判定し、その判定結果をバイタルの種類を表すアイコンの表示サイズを可変すると共にアラーム音又は音声メッセージを出力することにより医師又は看護師に報知するようにしている。
【００４０】
したがってこの実施形態によれば、医師又は看護師は、定期的に病室に出向いて患者の容体を監視することなく、また患者自身による呼出しに頼ることなく、患者の容体の変化をナースステーションに居ながらにして認識することができ、これにより適切な処置を迅速に行うことが可能となる。しかも、バイタル値の異常の程度を、アイコンＩＡの表示サイズの可変とアニメーション表示を用い、併せてアラーム音或いは音声メッセージを用いることで、３段階に分けて報知するようにしているので、医師又は看護師は患者の容体変化の程度を認識することが可能となる。このため、容体の変化の程度に応じてより適切な処置を講じることが可能となる。
【００４１】
なお、この発明は上記実施形態に限定されるものではない。例えば、複数種類のバイタルについてそのアイコンを同時に表示する場合には、これら複数のアイコンが相互に重なり合わないように表示位置或いは表示期間を異ならせて表示する。このように構成すると、複数種類のバイタルで同時に異常が検出された場合でも、これらのバイタルの異常をそれぞれ明確に表示することができる。
【００４２】
また前記実施形態では、バイタルの異常が検出された場合に、その旨をバイタルの種類を表すアイコンの表示サイズを変化させたり当該アイコンをアニメーション表示することにより示した。しかし、それに限定されるものではなく、上記バイタルの種類を表すアイコンに代わって或いは当該アイコンと共に、図４又は図５に示した患者の表情を表すアイコンを、容体が平静であることを示唆する第１のアイコン（おだやかな表情のアイコン）から、容体が悪化したことを示唆する第２のアイコン（例えば苦しそうな表情のアイコン）に変更するようにしてもよい。
【００４３】
また、患者一覧画面において、バイタル監視中であることを示すアイコンが表示された患者の表示領域を医師又は看護師がタッチ操作した場合に、バイタル値表示ウィンドウを開き、このウィンドウにおいて当該患者の最新のバイタル値又は過去のバイタル値の変化履歴を表示するようにしてもよい。このようにすると、監視中の患者についてバイタル値の異常報知がなされた場合に、医師又は看護師は当該患者の最新のバイタル値又は過去のバイタル値の変化履歴を確認することが可能となる。
【００４４】
さらに、ナースコール親機２においてバイタル値の異常報知が行われてから一定時間内に医師又は看護師による確認操作が行われない場合に、上記バイタル値の異常報知情報をナースコール親機２からハンディナースコール主装置３を介して担当医師又は担当看護師が携帯する携帯端末７１〜７ｍへ送信するようにしてもよい。このようにすると、ナースステーションに担当医師又は看護師が存在しない場合でも、上記バイタル値の異常を担当医師又は看護師に対し即時確実に報知することが可能となる。  
なお、上記バイタル値の異常報知情報は、ナースコール親機２に表示すると同時に、携帯端末７１〜７ｍへ送信するようにしてもよい。このようにすると、病室を巡回中の看護師がいち早く該当患者の病室に向かうことが可能となる。
【００４５】
また、上記バイタル値の異常報知情報を携帯端末７１〜７ｍに送信する場合には、患者の重要度に応じて異なる送信方式を使用するようにしてもよい。例えば、重要度が高い患者についてのバイタル値の異常報知情報を送信する場合には、通話呼出しと同じプロトコルにより携帯端末を呼び出して報知情報を送信する。このようにすると、携帯端末７１〜７ｍに報知情報をリアルタイムに表示させることができる。これに対し重要度が低い患者についてのバイタル値の異常報知情報を送信する場合には、当該報知情報を電子メールに挿入又は添付して携帯端末へ送信する。このようにすると看護師は、一つの看護業務が一段落したときに、上記電子メールにより受信された報知情報を確認することができる。
【００４６】
さらに前記実施形態では、患者情報データベースをナースコール親機に設けた場合を例にとって説明した。しかしそれに限らず、患者情報データベースを看護支援サーバ９に設け、ナースコール親機が必要に応じて看護支援サーバ９の患者情報データベースをアクセスすることにより患者の個人情報を取得するようにしてもよい。また、同様にその他のデータベースについても看護支援サーバ９に設けることが可能である。  
その他、バイタル計測装置からナースコール親機へバイタルデータを伝送するための手段や、ナースコール親機におけるバイタル監視制御手順とその内容、監視対象となるバイタルの種類、しきい値の数及び値、バイタル異常の報知手段等についても、この発明の要旨を逸脱しない範囲で種々変形して実施できる。
【００４７】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４８】
【図１】この発明の一実施形態に係わるナースコールシステムの概略構成図。
【図２】図１に示したシステムにおけるナースコール親機の機能構成を示すブロック図。
【図３】図２に示したナースコール親機によるバイタル監視制御の手順と内容を示すフローチャート。
【図４】図２に示したナースコール親機において表示される患者一覧画面の一例を示す図。
【図５】図２に示したナースコール親機において表示されるバイタル異常の報知画像の一例を示す図。
【符号の説明】
【００４９】
１１〜１ｎ…病室ユニット、１１１〜１１ｎ…呼出装置、１２１〜１２ｎ…バイタル計測装置、２…ナースコール親機、３…ハンディナースコール主装置、４…構内交換機（ＰＢＸ）、５…公衆網、６…無線ユニット、７，２２…ＬＡＮ、８…ハブ、９…看護支援サーバ、１０…プリンタ、２０…ゲートウエイ、２１…ナースコール用の通信線路、３０…中央処理ユニット（ＣＰＵ）、３１…プログラムメモリ、３１ａ…しきい値設定制御プログラム、３１ｂ…バイタルデータ受信制御プログラム、３１ｃ…バイタルデータ判定プログラム、３１ｄ…バイタル情報報知制御プログラム、３２…患者情報データベース、３３，２４…通信インタフェース、３５，３６…ネットワークインタフェース、３７…通話インタフェース、３７１…マイクロホン、３７２…スピーカ、３８…入力表示インタフェース、３８１…タッチパネル／表示器、６１，６２…無線基地局、７１〜７ｍ…携帯端末。
【図１】
2005237667.tif 000003
【図２】
2005237667.tif 000004
【図３】
2005237667.tif 000005
【図４】
2005237667.tif 000006
【図５】
2005237667.tif 000007